(57)【要約】【課題】外径の異なる数種類のダクトにも対応して水密性が確保されることができることを目的とする。【解決手段】ダクト７を包み内径寸法Ａがダクト７の外径寸法Ｂより小さい開口の内周部９が密着するシールパッキン１０を有したダクト接続部１１をフランジ部４の開口部３に設ける構成にしたことにより、外径の異なる数種類のダクトにも対応したダクト接続部１１で水密性が確保されることができ、吹雪や嵐のときに、雨、雪等が外壁端末換気口内に浸入したとしても、厳冬期の寒冷地において外壁端末換気口から溢れ出した結露水や雨水が凍結し、外壁１の剥離損傷を引き起こすことなどをなくし、住宅材の耐久性を損なうことを防止するので、外径の異なる数種類のダクトにも対応して水密性が確保されることができる外壁端末換気口を得られる。【選択図】図１
2014066404.tif 000002
【特許請求の範囲】
【請求項１】
外壁に取付けられ、前記外壁に設けられた屋外側開口部と連通する開口部を略中央に有したフランジ部と、この前記フランジ部に取付けられ、前記屋外側開口部に差し込まれ室内と屋外を連通するダクトと連通するフードとを備え、前記フランジ部を前記外壁に取り付けたときに、前記屋外側開口部より前記フード内に所定の長さだけ突出するように設けた前記ダクトの外周に、前記ダクトを包み内径寸法が前記ダクトの外径寸法より小さい開口の内周部が密着するシールパッキンを有したダクト接続部を前記フランジ部の前記開口部に設けたことを特徴とする外壁端末換気口。
【発明の詳細な説明】
【技術分野】
【０００１】
本発明は、建物の換気を行うために換気口の屋外側に取り付けられる外壁端末換気口に関するものである。
【背景技術】
【０００２】
近年、寒冷地の住宅は室内温度が外気温度に影響されないようにその外壁は断熱構造とされており、それに伴い室内の気密性も高くなっている。このため換気口が必要とされるが、換気口の屋外側に取り付けられる外壁端末換気口から強風雨時に雨水が浸入したり、冬場にダクト内の結露水が発生したりすることが原因で、冬場の水滴の凍結によって外壁を剥離損傷してしまうことがあった。
【０００３】
従来のこの種の外壁端末換気口は、特許文献１に記載の室内と室外を連通する通風路の外壁面に設置するダクトの取付板と通気板との間に全面的にゴムパッキングを一体に装着し、ゴムパッキングの通孔周縁部を自然曲折してダクトに密着せしめ、通気板外部にフード体を設置して成るものが知られていた。
【０００４】
以下、その外壁端末換気口について図５および図６を参照しながら説明する。
【０００５】
図５に示すように、室内と室外を連通する通風路の外壁面に設置するダクト１０１の取付板１０２と通気板１０３との間に全面的にゴムパッキング１０４を一体に装着し、ゴムパッキング１０４の通孔周縁部を自然曲折１０５してダクト１０１に密着せしめ、通気板１０３外部にフード体を設置して成るものである。
【先行技術文献】
【特許文献】
【０００６】
【特許文献１】特開２００７−４０６１０号公報
【発明の概要】
【発明が解決しようとする課題】
【０００７】
このような従来の外壁端末換気口においては、連通する通風路を形成するダクトには、公称のダクト径が同じであっても、材質によって数種類のダクトがあり、たとえば、塩化ビニールダクト、スパイラル鋼管ダクト、アルミ製フレキシブルダクトなどで、公称のダクトの径がφ１００の場合であると、その外径寸法はφ１０２ｍｍ〜φ１１４ｍｍと多少の相違がある。
【０００８】
また、図５に示すように、外径寸法φ１１４ｍｍのダクト１０１の外径に取り付けた時はゴムパッキング１０４とダクト１０１の接触面積が大きく密着して水密性が確保されるが、図６に示すように、同様のゴムパッキング１０４で外径寸法φ１０２ｍｍのダクト１０６の外径に取り付けた時にはゴムパッキング１０４とダクト１０１の接触面積は小さく、密着部分が少なくなり、水密性が確保されなくなる恐れが生じる可能性がある、という課題を有していた。
【０００９】
そこで本発明は、上記従来の課題を解決するものであり、外径の異なる数種類のダクトにも対応して水密性が確保されることができる外壁端末換気口を提供することを目的とする。
【課題を解決するための手段】
【００１０】
そして、この目的を達成するために、本発明は外壁に取付けられ、前記外壁に設けられた屋外側開口部と連通する開口部を略中央に有したフランジ部と、この前記フランジ部に取付けられ、前記屋外側開口部に差し込まれ室内と屋外を連通するダクトと連通するフードとを備え、前記フランジ部を前記外壁に取り付けたときに、前記屋外側開口部より前記フード内に所定の長さだけ突出するように設けた前記ダクトの外周に、前記ダクトを包み内径寸法が前記ダクトの外径寸法より小さい開口の内周部が密着するシールパッキンを有したダクト接続部を前記フランジ部の前記開口部に設けたこととしたものであり、これにより所期の目的を達成するものである。
【発明の効果】
【００１１】
本発明によれば、外壁に取付けられ、前記外壁に設けられた屋外側開口部と連通する開口部を略中央に有したフランジ部と、この前記フランジ部に取付けられ、前記屋外側開口部に差し込まれ室内と屋外を連通するダクトと連通するフードとを備え、前記フランジ部を前記外壁に取り付けたときに、前記屋外側開口部より前記フード内に所定の長さだけ突出するように設けた前記ダクトの外周に、前記ダクトを包み内径寸法が前記ダクトの外径寸法より小さい開口の内周部が密着するシールパッキンを有したダクト接続部を前記フランジ部の前記開口部に設けるという構成にしたことにより、外径の異なる数種類のダクトにも対応したダクト接続部で水密性が確保されることができ、吹雪や嵐のときに、雨、雪等が外壁端末換気口内に浸入したとしても、厳冬期の寒冷地において外壁端末換気口から溢れ出した結露水や雨水が凍結し、外壁の剥離損傷を引き起こすことなどをなくし、住宅材の耐久性を損なうことを防止することとなるので、外径の異なる数種類のダクトにも対応して水密性が確保されることができる外壁端末換気口を提供することができるという効果を得ることができる。
【図面の簡単な説明】
【００１２】
【図１】本発明の実施の形態１の外壁端末換気口の構成を示す斜視図
【図２】同外壁端末換気口の構成を示す側面断面図
【図３】同外壁端末換気口のダクト接続部を示す斜視図
【図４】同外壁端末換気口の構成を示す側面断面図
【図５】従来の外壁端末換気口の構成を示す側面断面図
【図６】同外壁端末換気口の別のダクト径の構成を示す側面断面図
【発明を実施するための形態】
【００１３】
本発明の請求項１記載の外壁端末換気口は、外壁に取付けられ、前記外壁に設けられた屋外側開口部と連通する開口部を略中央に有したフランジ部と、この前記フランジ部に取付けられ、前記屋外側開口部に差し込まれ室内と屋外を連通するダクトと連通するフードとを備え、前記フランジ部を前記外壁に取り付けたときに、前記屋外側開口部より前記フード内に所定の長さだけ突出するように設けた前記ダクトの外周に、前記ダクトを包み内径寸法が前記ダクトの外径寸法より小さい開口の内周部が密着するシールパッキンを有したダクト接続部を前記フランジ部の前記開口部に設けるという構成を有する。
【００１４】
これにより、外径の異なる数種類のダクトにも対応したダクト接続部で水密性が確保されることができ、吹雪や嵐のときに、雨、雪等が外壁端末換気口内に浸入したとしても、厳冬期の寒冷地において外壁端末換気口から溢れ出した結露水や雨水が凍結し、外壁の剥離損傷を引き起こすことなどをなくし、住宅材の耐久性を損なうことを防止することとなるので、外径の異なる数種類のダクトにも対応して水密性が確保されることができる外壁端末換気口を提供することができるという効果を奏する。
【００１５】
以下、本発明の実施の形態について図面を参照しながら説明する。
【００１６】
（実施の形態１）
図１および図２に示すように、外壁１に取付けられ、外壁１に設けられた屋外側開口部２と連通する開口部３を略中央に有したフランジ部４と、このフランジ部４に取付けられ、屋外側開口部２に差し込まれ室内５と屋外６とを連通するダクト７と連通するフード８とを備え、フランジ部４を外壁１に例えばねじ（図示せず）で取り付けたときに、屋外側開口部２よりフード８内に所定の長さ（例えば、後述するダクト接続部１１から少しはみ出る程度）だけ突出するように設けたダクト７の外周に、ダクト７を包み内径寸法Ａ（後述する内周部９の径）がダクト７の外径寸法Ｂより小さい開口の内周部９が密着するシールパッキン１０を有したダクト接続部１１をフランジ部４の開口部３に設ける構成とする。
【００１７】
シールパッキン１０は、例えばゴム状の弾性、柔軟性を有する材質からなる。
【００１８】
図２に示すダクト７の外径寸法は、φ１１４ｍｍである。
【００１９】
上記構成により、シールパッキン１０の弾性を生かして、ダクト７に圧縮されて密着するので、シールパッキン１０とダクト７の外周の水密性が確保されることとなる。
【００２０】
図３に示すように、ダクト接続部１１は単純な形状をしていることから、異なるダクト外径寸法Ｂ（図１参照）に合わせたシールパッキン１０の貼り付け時の異なる内径寸法Ａ（図１参照、）のダクト接続部１１の製造が容易にできる。
【００２１】
よって、図４に示すように、外径寸法が図２に示すφ１１４ｍｍより小さいφ１０２ｍｍであるダクト７Ａにも応じたシールパッキン１０Ａを有したダクト接続部１１Ａにすることができ、ダクト７Ａに圧縮されて密着され、水密性が確保されることとなる。
【００２２】
結果、外径の異なる数種類のダクトにも対応して水密性が確保されることができることとなる。
【産業上の利用可能性】
【００２３】
本発明にかかる外壁端末換気口は、水密性が確保されることを可能とするものであるので、室内に設置される給気口などとしても有用である。
【符号の説明】
【００２４】
１      外壁
２      屋外側開口部
３      開口部
４      フランジ部
５      室内
６      屋外
７      ダクト
７Ａ    ダクト
８      フード
９      内周部
１０    シールパッキン
１０Ａ  シールパッキン
１１    ダクト接続部
１１Ａ  ダクト接続部
Ａ      内径寸法
Ｂ      ダクトの外径寸法
【図１】
2014066404.tif 000003
【図２】
2014066404.tif 000004
【図３】
2014066404.tif 000005
【図４】
2014066404.tif 000006
【図５】
2014066404.tif 000007
【図６】
2014066404.tif 000008